(57)【要約】【課題】この発明は、高水分から停止水分まで違和感なく自動で水分値の分布を確認でき、より詳細、かつ容易に停止時の水分値を確認できるようにすることを目的とする。【解決手段】この発明は、乾燥中の穀粒の水分値を一粒ずつ測定する単粒水分計と、単粒水分計の測定データから作成した水分値のヒストグラムを表示部に表示させる制御手段とを備えた穀物乾燥機の乾燥制御装置において、制御手段は、単粒水分計の測定範囲全領域の測定データから第１の水分値のヒストグラムを作成するとともに、単粒水分計の測定範囲のうち仕上がり水分値付近領域の測定データから第２の水分値のヒストグラムを作成し、単粒水分計の測定データに基づいて第１の水分値のヒストグラムと第２の水分値のヒストグラムとのいずれかの一方を表示部に表示させることを特徴とする。【選択図】図１
2014185798.tif 000002
【特許請求の範囲】
【請求項１】
乾燥中の穀粒の水分値を一粒ずつ測定する単粒水分計と、前記単粒水分計の測定データから作成した水分値のヒストグラムを表示部に表示させる制御手段とを備えた穀物乾燥機の乾燥制御装置において、前記制御手段は、前記単粒水分計の測定範囲全領域の測定データから第１の水分値のヒストグラムを作成するとともに、前記単粒水分計の測定範囲のうち仕上がり水分値付近領域の測定データから第２の水分値のヒストグラムを作成し、前記単粒水分計の測定データに基づいて前記第１の水分値のヒストグラムと第２の水分値のヒストグラムとのいずれかの一方を前記表示部に表示させることを特徴とする穀物乾燥機の乾燥制御装置。
【発明の詳細な説明】
【技術分野】
【０００１】
この発明は穀物乾燥機の乾燥制御装置に係り、特に、単粒水分計の測定データから作成した水分値のヒストグラムを表示部に表示させる穀物乾燥機の乾燥制御装置に関する。
【背景技術】
【０００２】
熱風により穀粒を乾燥する穀物乾燥機は、乾燥制御装置によって乾燥時間や循環速度を制御する。穀物乾燥機の乾燥制御装置には、乾燥中の穀粒の水分値を一粒ずつ測定する単粒水分計を備え、単粒水分計の測定データから作成した水分値のヒストグラムを表示部に表示させる制御手段を備えているものがある。（特許文献１）
【先行技術文献】
【特許文献】
【０００３】
【特許文献１】特公平８−２３５３９号公報
【発明の開示】
【発明が解決しようとする課題】
【０００４】
ところで、穀粒の乾燥仕上がり水分値は、検査規格１５％以下を満たして、なるべく１５％に近い水分値にすることが要求されている。
これに対して、乾燥される穀粒の水分値にはバラツキがあり、水分値を精度よくコントロールする為に、乾燥を停止する仕上がり水分値付近での穀物の水分値のバラツキを詳細に確認したい要求がある。
【０００５】
しかし、表示部の画面サイズには限りがあるため、単粒水分計の測定範囲全領域の測定データから作成したヒストグラムを表示した場合、表示内容が小さくなって水分値のバラツキを詳細に表示できない問題がある。
また、穀物の水分値バラツキによって測定データが発現するデータ区間の幅が変わるので、測定範囲のうちヒストグラムの作成に使用する測定データの領域を狭めて、表示部での表示範囲を限定した場合、水分値のバラツキが大きいときには領域から外れた測定データを表示できない問題がある。
【０００６】
この発明は、高水分から停止水分まで違和感なく自動で水分値の分布を確認することができ、より詳細、かつ容易に停止時の水分値を確認することができる穀物乾燥機の乾燥制御装置を提供することを目的とする。
【課題を解決するための手段】
【０００７】
この発明は、乾燥中の穀粒の水分値を一粒ずつ測定する単粒水分計と、前記単粒水分計の測定データから作成した水分値のヒストグラムを表示部に表示させる制御手段とを備えた穀物乾燥機の乾燥制御装置において、前記制御手段は、前記単粒水分計の測定範囲全領域の測定データから第１の水分値のヒストグラムを作成するとともに、前記単粒水分計の測定範囲のうち仕上がり水分値付近領域の測定データから第２の水分値のヒストグラムを作成し、前記単粒水分計の測定データに基づいて前記第１の水分値のヒストグラムと第２の水分値のヒストグラムとのいずれかの一方を前記表示部に表示させることを特徴とする。
【発明の効果】
【０００８】
この発明は、単粒水分計の測定範囲全領域の測定データから作成した第１の水分値のヒストグラムと、単粒水分計の測定範囲のうち仕上がり水分値付近領域の測定データから作成した第２の水分値のヒストグラムとのいずれか一方を、単粒水分計の測定データに基づいて表示部に表示させることで、高水分から停止水分まで違和感なく自動で水分値の分布を確認することができ、より詳細、かつ容易に停止時の水分値を確認することができる。
これにより、この発明は、停止時の穀物の水分値バラツキが多い場合の説明や、単粒水分計のメンテナンスに有効である。
【図面の簡単な説明】
【０００９】
【図１】図１は穀物乾燥機の斜視図である。（実施例）
【図２】図２は穀物乾燥機の乾燥制御装置のブロック図である。（実施例）
【図３】図３は単粒水分計の測定範囲全領域の測定データから作成した第１の水分値のヒストグラムを示す図である。（実施例）
【図４】図４は単粒水分計の測定範囲のうち仕上がり水分値付近領域の測定データから作成した第２の水分値のヒストグラムを示す図である。（実施例）
【図５】図５は乾燥運転時のヒストグラム切り替えのフローチャートである。（実施例）
【図６】図６は乾燥停止・排出運転時のヒストグラム切り替えのフローチャートである。（実施例）
【発明を実施するための形態】
【００１０】
以下図面に基づいて、この発明の実施例を説明する。
【実施例】
【００１１】
図１〜図６は、この発明の実施例を示すものである。図１において、穀物乾燥機１は、乾燥機本体２を、上部から順次に、穀粒を貯める貯留部３と、この穀粒を乾燥する乾燥部４と、この乾燥した穀粒を集める集穀部５とにより構成している。
穀物乾燥機１は、乾燥機本体２の長手方向一側の端面に上下方向に延びる揚穀機６を設け、乾燥機本体２の上部中央に揚穀機６により揚上された穀物を貯留部３内に均分に落下させる上部搬送機構７を設け、乾燥機本体２の下部中央に集穀部５の穀粒を揚穀機６に搬送する下部搬送機構８を設けている。
また、穀物乾燥機１は、乾燥機本体２の長手方向一側の端面に乾燥部４に熱風を送り込む熱風器（バーナ）９を取り付け、乾燥機本体２の長手方向他側の端面に乾燥部４の穀粒乾燥後の空気を外部に排出する送風機１０を取り付けている。
穀物乾燥機１は、穀粒を揚穀機６で乾燥機本体２の上部に揚上し、上部搬送機構７により搬送して貯留部３内に均分落下させる。貯留部３内の穀粒は、乾燥部４において熱風器９が送り込む熱風により乾燥された後、集穀部５の下部に集められて下部搬送機構８で揚穀機６に搬送され、揚穀機６で再び貯留部３まで揚上されるという循環を繰り返す。
【００１２】
前記穀物乾燥機１は、穀粒の循環及び乾燥を制御する乾燥制御装置１１を設けている。乾燥制御装置１１は、乾燥機本体２の長手方向一側の端面に、熱風器９に隣接して制御盤１２を備えている。制御盤１２には、図２に示すように、制御手段１３を設けている。制御手段１３には、揚穀機６に設けた単粒水分計１４を接続し、制御盤１２に設けた表示部１５を接続している。単粒水分計１４は、乾燥中の穀粒の水分値を一粒ずつ測定する。表示部１５は、水分値のヒストグラムを表示する。
制御手段１３は、単粒水分計１４が測定した複数の穀粒の測定データから各穀粒の水分値を算出し、得られた複数の穀粒の水分値に基づいて揚穀機６、上部搬送機構７、下部搬送機構８、熱風器９を駆動制御し、穀粒の水分値が仕上がり水分値になるように循環および乾燥を行う。この制御手段１３は、単粒水分計１４の測定データから水分値のヒストグラムを作成し、この水分値のヒストグラムを表示部１５に表示させる。
【００１３】
前記穀物乾燥機１の乾燥制御装置１１において、制御手段１２は、単粒水分計１４の測定範囲全領域（図３においてデータ区間１０−４０％の領域）の測定データから第１の水分値のヒストグラムＨ１を作成するとともに、単粒水分計１４の測定範囲のうち仕上がり水分値（例えば、１５％）付近領域（図４においてデータ区間１０−２４％の領域）の測定データから第２の水分値のヒストグラムＨ２を作成する。
制御手段１２は、単粒水分計１４の測定データから算出された穀粒の水分値に基づいて、第１の水分値のヒストグラムＨ１と第２の水分値のヒストグラムＨ２との、いずれかの一方を表示部１５に表示させる。
【００１４】
次に作用を説明する。
穀物乾燥機１は、乾燥制御装置１１の制御手段１３によって、単粒水分計１４が測定した複数の穀粒の測定データから算出した穀粒の水分値に基づき、揚穀機６、上部搬送機構７、下部搬送機構８、熱風器９を駆動制御し、穀粒の水分値が仕上がり水分値になるように循環および乾燥を行う。乾燥制御装置１１は、制御手段１３によって、単粒水分計１４の測定データから第１・第２の水分値のヒストグラムＨ１・Ｈ２を作成し、第１・第２の水分値のヒストグラムＨ１・Ｈ２を表示部１５に切り替えて表示させる。
【００１５】
穀物乾燥機１の乾燥制御装置１１は、図５に示すように、制御手段１２によって、穀粒の乾燥運転時（自動水分測定）に、単粒水分計１４による穀粒の水分値の測定を開始すると（１０１）、初回の水分測定であるかを判断する（１０２）。
この判断（１０２）がＹＥＳの場合は、第１の水分値のヒストグラムＨ１を表示し（１０３）、単粒水分計１４の測定データにより穀粒の平均水分値が設定平均値（例えば、２０．１％）以上であるかを判断する（１０４）。
この判断（１０４）がＹＥＳの場合は、第１の水分値のヒストグラムＨ１を表示部１５に表示し（１０５）、測定開始（１０１）に戻る（１０６）。この判断（１０４）がＮＯの場合は、第２の水分値のヒストグラムＨ２を表示部１５に表示し（１０７）、測定開始（１０１）に戻る（１０６）。
一方、前記判断（１０２）がＮＯの場合は、前回の水分測定による判定（１０４）が第２の水分値のヒストグラムＨ２であるかを判断する（１０８）。この判断（１０８）がＹＥＳの場合は、第２の水分値のヒストグラムＨ２を表示部１５に表示し（１０７）、測定開始（１０１）に戻る（１０６）。この判断（１０８）がＮＯの場合は、第１の水分値のヒストグラムＨ１の表示（１０３）に移行する。
【００１６】
また、穀物乾燥機１の乾燥制御装置１１は、図６に示すように、制御手段１２によって、穀粒の乾燥停止・排出運転時（手動水分測定）に、単粒水分計１４による穀粒の水分値の測定を開始すると（２０１）、第２の水分値のヒストグラムＨ２を表示部１５に表示し（２０２）、測定した穀粒数に対して設定水分値（例えば、２５．１％）以上の穀粒数の占める割合が設定値（例えば、１０％）以上であるかを判断する（２０３）。
この判断（２０３）がＹＥＳの場合は、第１の水分値のヒストグラムＨ１に切り替えて表示部１５に表示し（２０４）、測定開始（２０１）に戻る（２０５）。この判断（２０３）がＮＯの場合は、第２の水分値のヒストグラムＨ２の表示を継続し（２０６）、測定開始（２０１）に戻る（２０５）。
【００１７】
このように、穀物乾燥機１の乾燥制御装置１１は、単粒水分計１４の測定範囲全領域の測定データから作成した第１の水分値のヒストグラムＨ１と、単粒水分計１４の測定範囲のうち仕上がり水分値付近領域の測定データから作成した第２の水分値のヒストグラムＨ２とのいずれか一方を、単粒水分計１４の測定データから算出された穀粒の水分値に基づいて表示部１５に表示させることで、高水分から停止水分まで違和感なく自動で水分値の分布を確認することができ、より詳細、かつ容易に停止時の水分値を確認することができる。
これにより、この穀物乾燥機１の乾燥制御装置１１は、停止時の穀粒の水分値バラツキが多い場合の説明や、単粒水分計１４のメンテナンスに有効である。
【産業上の利用可能性】
【００１８】
この発明の穀物乾燥機の乾燥制御装置は、高水分から停止水分まで違和感なく自動で水分値の分布を確認することができ、より詳細、かつ容易に停止時の水分値を確認することができるものであり、水分を含む粒体を乾燥する機器に適用することができる。
【符号の説明】
【００１９】
１  穀物乾燥機
２  乾燥機本体
３  貯留部
４  乾燥部
５  集穀部
６  揚穀機
７  上部搬送機構
８  下部搬送機構
９  熱風器
１０  送風機
１１  乾燥制御装置
１２  制御盤
１３  制御手段
１４  単粒水分計
１５  表示部
【図１】
2014185798.tif 000003
【図２】
2014185798.tif 000004
【図３】
2014185798.tif 000005
【図４】
2014185798.tif 000006
【図５】
2014185798.tif 000007
【図６】
2014185798.tif 000008